(57)【特許請求の範囲】
【請求項１】
長手方向に真直状に形成したカッタ固定刃と、該カッタ固定刃に当接して回転しながら走行することにより用紙を切断するカッタ移動刃と、該カッタ移動刃を前記カッタ固定刃に押圧するように付勢する移動刃押圧部材と、前記カッタ移動刃を保持する移動刃キャリアと、前記カッタ移動刃を前記移動刃キャリアに回転自在に軸支する移動刃軸と、前記移動刃キャリアを前記カッタ固定刃の長手方向に沿って往復走行するように駆動する移動刃駆動手段と、前記移動刃軸に回転自在に軸支され前記用紙を前記カッタ固定刃から浮き上がることがないように押さえるための用紙押さえローラよりなる用紙切断装置において、前記カッタ移動刃の撓みを防止するためのホルダフランジ部を有する移動刃ホルダを備え、前記カッタ移動刃は前記移動刃ホルダを介して前記移動刃押圧部材により前記カッタ固定刃に押圧するように付勢されていることを特徴とする用紙切断装置。
【発明の詳細な説明】
【０００１】
【発明の属する技術分野】
本発明はプリンタ、発券機等の装置において、紙およびプラスチックフィルム等のシートを切断するための用紙切断装置の構造に関する。
【０００２】
【従来の技術】
従来のこの種の用紙切断装置としては、移動刃を保持し、この移動刃を長手方向に真直状に形成した固定刃に当接させながら走行させるための移動刃キャリアには、その先端部が用紙に引っかからないようにスキーの先端形状のように形成された用紙抑え部材が取りつけられていた。あるいは、移動刃キャリアは、その先端部が用紙に引っかからないように逃げた形状に形成されていた。このような用紙切断装置の従来例として、以下に第１従来例について説明する。また、用紙が固定刃の表面から浮き上がることによって、用紙が移動刃キャリアによって押されて切断されずしわにならないように、移動刃キャリアの走行の動力を使って移動刃を回転駆動するための転動車輪によって用紙を固定刃の表面に押し付けるように構成されていた。このような用紙切断装置の従来例として、以下に第２従来例について説明する。
【０００３】
図１４は、第１従来例における用紙切断装置における用紙切断装置に用紙を装着した状態を斜め上方から見た状態を示す斜視図である。図１５は、第２従来例における用紙切断装置における用紙切断装置を示し、（Ａ）は上面図、（Ｂ）は正面図、（Ｃ）は左側面図である。
【０００４】
図１４を用いて第１従来例である「実開平１−１４９２８９号公報」について主に明細書を引用して説明する。案内板５０２には、ロール紙５０１の幅方向におけるカッタ５０５の移動軌跡に沿ってロール紙５０１の幅方向に延在するスリット５０７が形成されており、このスリット５０７を介してカッタ５０５の上部が案内板５０２の上方に突出している。前記スリット５０７を上下方向に挿通し得る基部５０８ａと、この基部５０８ａの上端に接続され前記スリット５０７の幅方向に延在する水平方向の支持部５０８ｂとからなり全体としてほぼＴ字形を成している支持部材５０８取りつけられている。この支持部材５０８の支持部５０８ｂ上には、前記カッタ５０５の両側に近接配置され、スリット５０７の長手方向にそれぞれ延在する細長い板ばね状の１対の受け部材５１０、５１０の基端部が固着されており、これらの受け部材５１０、５１０のそれぞれの中間部は、各受け部材自体の弾性により案内板５０２上に軽く圧接するようになっている。また、前記カッタ５０５の前方に達する前記受け部材５１０、５１０の先端部は案内板５０２の表面５０２ａから離間する方向にそれぞれ湾曲され、ロール紙５０１を傷つけないようになっている。
【０００５】
次に作用について説明する。カッタ５０５が矢印ｃの方向に移動すると、それぞれの先端部がカッタ５０５より先行する両受け部材５１０、５１０がロール紙５０１をカッタ５０５の両側において案内板５０２の表面５０２ａ上に抑えつけている状態において回転しているカッタ５０５によりロール紙５０１をその幅方向に徐々に切断する。このとき、受け部材５１０の先端部が案内板５０２の表面５０２ａから離間するように湾曲しているため、ロール紙５０１を受け部材５１０と案内板５０２との間に容易に挟持することができるし、またカッタ５０５の両側に位置する両受け部材５１０、５１０の中間部によりロール紙５０１の浮上が阻止されるので、ロール紙５０１を安定的に切断することができる。
【０００６】
図１５を用いて第２従来例である「特許第３１４１３３７号公報」について主に明細書を引用して説明する。カッタ移動刃６０５と移動刃ホルダ６５１と用紙押さえローラ６５３はかん合構造で一体化され、一体回転可能となっている。また、移動刃ホルダ６５１は移動刃軸６１９に挿入され、滑動回転可能となっている。カッタ移動刃６０５の移動刃軸６１９は、カッタ固定刃６０２に対して所定傾斜角度θｚ°傾斜している。同じく、この移動刃軸６１９は、カッタ移動刃６０５の刃先がカッタ固定刃６０２の刃先に僅かにオーバーラップする位置に配置されている。これによってカッタ移動刃６０５の刃先はカッタ固定刃６０２の刃先に対して１点で接触するようになっている。この接点は、シートを切断するときの切断点である。また、用紙押さえローラ６５３はゴム等の弾性体である。用紙押さえローラ６５３はわずかに変形した状態でカッタ固定刃６０２に押し付けられている。この時、用紙押さえローラ６５３の変形量は経時的に組成変形しない程度が望ましい。また、用紙押さえローラ６５３の素材には硬度の高いゴム材が望ましい。
【０００７】
シート切断方向（図１４の進行方向）にカッタ移動刃６０５が移動すると、この用紙押さえローラ６５３の弾性力でカッタ移動刃６０５の刃先には、図１４（Ａ）に示す荷重（Ｆｒ）が発生する。この荷重（Ｆｒ）は、シート切断時にカッタ移動刃６０５が受ける切断負荷Ａを押さえる効果があり、厚手のシートの切断が容易となる。そしてさらに、カッタ移動刃６０５は板バネ等の押圧手段でカッタ固定刃６０２の刃先に所定の荷重（Ｆｓ）で押し付けられている。シート切断方向（図１４の進行方向）にカッタ移動刃６０５を移動させると、カッタ移動刃６０５の刃先には、カッタ移動刃６０５を回転させるモーメント（Ｍ）が発生する。カッタ移動刃６０５は用紙押さえローラ６５３の転動力と刃先に発生するモーメント（Ｍ）の２力で回転している。この場合、用紙押さえローラ６５３が組成変形して部分的に転動力を失った場合でも、刃先のモーメント（Ｍ）が転動力を補い、カッタ移動刃６０５の転動不良が発生することは無い。この時θｚ°は、上記同様０．５°〜６°の範囲内とするのが適当である。
【０００８】
【発明が解決しようとする課題】
前述したように、第１従来例においては、カッタ５０５の切断走行方向の近傍に先端部が案内板５０２の表面５０２ａから離間する方向にそれぞれ湾曲した受け部材５１０が設けられているので、用紙５０１の端部等にひっかかることはない。しかし、受け部材５１０のそれぞれの中間部は、各受け部材自体の弾性により案内板５０２上に軽く圧接するようになっていることもあり、用紙５０１が非常に薄く剛性が小さいものであった場合には、用紙５０１は、受け部材５１０あるいはカッタ５０５に押されてしわになってしまうという欠点があった。
【０００９】
また、第２従来例においては、カッタ移動刃６０５と用紙押さえローラ６５３がかん合構造で一体化され、一体回転可能となっていると共にカッタ移動刃６０５は板バネ等の押圧手段でカッタ固定刃６０２の刃先に所定の荷重（Ｆｓ）で押し付けられているので、用紙押さえローラ６５３には、カッタ移動刃６０５をカッタ固定刃６０２との摩擦抵抗が回転負荷となってかかる。従って、用紙押さえローラ６５３とカッタ固定刃６０２との間には大きな摩擦伝達力が要求されるため用紙押さえローラ６５３は大きな押圧力でカッタ固定刃６０２に押圧されている。用紙押さえローラ６５３は大きな押圧力でカッタ固定刃６０２を押圧しながら走行する。このときカッタ固定刃６０２と用紙押さえローラ６５３との間には用紙５０１が介在しているので、用紙５０１は用紙押さえローラ６５３によってカッタ固定刃６０２に対して移動され、正確に切断することができずしわになってしまうことがある。また、用紙押さえローラ６５３は大きな押圧力でカッタ固定刃６０２を押圧しながら走行するので、用紙押さえローラ６５３の外周が塑性変形したり、外周および軸との摺動部分が摩耗して回転不良を起こすことがあった。
【００１０】
本発明の目的は、装着された用紙が剛性が小さい場合であっても、この用紙をしわにすることなく良好な切断結果を得ることができると共に耐久性がある用紙切断装置を得ることにある。
【００１１】
【課題を解決するための手段】
上記目的を達成するために、本発明においては、長手方向に真直状に形成したカッタ固定刃と、該カッタ固定刃に当接して回転しながら走行することにより用紙を切断するカッタ移動刃と、該カッタ移動刃を前記カッタ固定刃に押圧するように付勢する移動刃押圧部材と、前記カッタ移動刃を保持する移動刃キャリアと、前記カッタ移動刃を前記移動刃キャリアに回転自在に軸支する移動刃軸と、前記移動刃キャリアを前記カッタ固定刃の長手方向に沿って往復走行するように駆動する移動刃駆動手段よりなる用紙切断装置において、前記移動刃支持軸に回転自在に軸支され前記用紙を前記カッタ固定刃から浮き上がることがないように押さえるための用紙押さえローラを有することを特徴とするものである。
【００１２】
また、前記用紙押さえローラは、外周が弾性部材によって形成されていることを特徴とするものである。
【００１３】
また、 前記用紙押さえローラは、外周が金属もしくはプラスチックによって形成されていること特徴とするものである。
【００１４】
また、前記用紙押さえローラは、外周が前記用紙を前記カッタ固定刃に押し付けるように構成されていることを特徴とするものである。
【００１５】
また、前記用紙押さえローラは、外周が前記用紙の表面に対して僅かに隙間を有するように構成されていることを特徴とするものである。
【００１６】
また、前記用紙押さえローラは、外周が移動刃軸の軸方向へ平坦に形成されていることを特徴とするものである。
【００１７】
また、前記用紙押さえローラは、外周が移動刃軸の軸方向へ円弧状に形成されていることを特徴とするものである。
【００１８】
また、前記カッタ移動刃は移動刃ホルダに保持され、該移動刃ホルダは前記移動刃軸に回転自在に軸支され、該移動刃ホルダと前記用紙押さえローラとの間にスペーサが介在していることを特徴とするものである。
【００１９】
また、前記カッタ移動刃は移動刃ホルダに保持され、該移動刃ホルダは前記カッタ移動刃の撓みを防止するためのホルダフランジ部を有することを特徴とするものである。
【００２０】
【発明の実施の形態】
以下、本発明の実施の形態を一実施例に基づき図面を参照して説明する。
図１は、本発明に係る第１実施例の用紙切断装置を斜め上方から見た状態を示す斜視図である。図２は、図１における矢視Ａの状態を示す正面図である。図３は、図２における蓋体３を透視した状態を示す正面図である。図４は、図３におけるＣ部を拡大して示す詳細図である。図５は、図４におけるＤ−Ｄ線断面の状態を示す断面図である。図６は、図５における第１実施例のローラ外周部７ａを有する用紙押さえローラ７ａをローラ外周部１０７を有する用紙押さえローラ１０７に組み替えた第２実施例を示す断面図である。図７は、図４における用紙切断装置１に用紙１９を装着した状態を示す動作説明図である。図８は、図７の状態から移動刃キャリア５が走行しながら用紙１９を切断する状態を示す動作説明図である。図９は、図５における用紙切断装置１に用紙１９を装着した状態を示す断面図である。図１０は、図６における用紙切断装置１０１に用紙１１９を装着した状態を示す断面図である。
【００２１】
図１１は、本発明に係る第３実施例を示し、第１実施例を示す図５における用紙押さえローラ７を、外周に弾性部材２０７ｂが固着された用紙押さえローラ２０７に組み替えた第３実施例を示す断面図である。図１２は、図１１における弾性部材２０７ｂを有する用紙押さえローラ２０７を、弾性部材３０７ｂを有する用紙押さえローラ３０７ｂに組み替えた第４実施例を示す断面図である。図１３は、図５における第１実施例の移動刃ホルダ１５をホルダフランジ部の外径が大きいものに移動刃ホルダ４１５組み替えた第５実施例を示す断面図である。
【００２２】
図１、および図２において、本発明の第１実施例を示す用紙切断装置１の概要について説明する。枠体２には蓋体３およびカッタ固定刃４が取り付けられており、カッタ固定刃４は蓋体３の上端部によって脱落しないように押さえられている。カッタ固定刃４の図１における右端、および図２における左端のホームポジションには移動刃キャリア５が待機しており、移動刃キャリア５にはカッタ移動刃６が回転自在に取りつけられ、カッタ固定刃４に圧接された状態で待機している。また、カッタ移動刃６と同軸に用紙押さえローラ７が回転自在に取りつけられている。
【００２３】
図３、および図４において、図２に示す蓋体３を透視した状態について説明する。枠体２には第１プーリ１０ａと、第２プーリ１０ｂが互いに間隔をおいて回転自在に取り付けられており、第１プーリ１０ａと第２プーリ１０ｂとの間には無端ベルトの内側に歯が形成されたキャリア送りベルト１２が緊張懸架されている。キャリア送りベルト１２には、移動刃キャリア５と連結するためのキャリア連結部材１１が取り付けられている。また、枠体２にはカッタ移動刃６を回転自在に保持する移動刃キャリア５が左右往復走行可能に取り付けられている。移動刃キャリア５には連結長孔部５ａが形成され、連結長孔部５ａにはキャリア連結部材１１が上下方向にスライド可能に嵌入している。
【００２４】
また、枠体２には、第１プーリ１０ａを回転させてキャリア送りベルト１２を駆動し、移動刃キャリア５を往復走行駆動するためのキャリア駆動モータ８が取り付けられている。キャリア駆動モータ８の回転軸８ａには主傘歯車９ａが固着され、主傘歯車９ａには従傘歯車９ｂが噛み合っており、従傘歯車９ｂには第１歯車９ｃが固着され第１歯車９ｃには第２歯車９ｄが噛み合っており、第２歯車９ｄには第３歯車９ｅが噛み合っており、第３歯車９ｅには前述した第１プーリ１０ａが固着されている。従って、キャリア駆動モータ８を駆動することにより第１プーリ１０ａを回転させ、第１プーリ１０ａの回転によってキャリア送りベルト１２を走行させて移動刃キャリア５を往復走行させるように構成されている。
【００２５】
図５において、図４に示すＤ−Ｄ線断面から見た移動刃キャリア５の詳細な構成について説明する。枠体２に形成されている図示せぬ溝部には、カッタ固定刃４がはめ込まれており、蓋体３によって動かないように抑えられている。カッタ固定刃４には真直刃部４ａが形成されている。移動刃キャリア５には、第１摺動部５ｂ、第２摺動部５ｃ、および第３摺動部５ｄが形成され、第１摺動部５ｂは蓋体３に当接し、第２摺動部５ｃは枠体２に当接し、第１摺動部５ｂ、第２摺動部５ｃが協働して移動刃キャリア５を左右方向に支えている。
【００２６】
また、移動刃キャリア５には第１軸受け部５ｅと第２軸受け部５ｆが形成され、第１軸受け部５ｅと第２軸受け部５ｆによって移動刃軸１４が取り付けられている。移動刃軸１４には移動刃ホルダ１５が回転自在にはめ合わされ、移動刃ホルダ１５には、円盤状で外周に外周刃先部６ａが形成されたカッタ移動刃６と、カッタ移動刃６を保持するための移動刃押さえブッシュ１６が圧入されて固着されている。
【００２７】
移動刃ホルダ１５には、つるまき状の圧縮ばねである移動刃押圧部材１７がはめ合わされており、移動刃キャリア５に対して移動刃ホルダ１５を右方向に押すことにより、カッタ移動刃６の外周刃先部６ａをカッタ固定刃４の真直刃部４ａに圧接させ、外周刃先部６ａと真直刃部４ａとの間で後述する用紙１９を剪断するように構成されている。
【００２８】
移動刃軸１４には用紙押さえローラ７が、移動刃ホルダ１５とは独立して回転し得るように回転自在にはめ合わされている。用紙押さえローラ７の軸方向の長さと移動刃ホルダ１５の軸方向の長さとを加えた長さは、移動刃キャリア５の壁面の内側寸法より充分に短く設定しており、用紙押さえローラ７と移動刃ホルダ１５の双方とも余裕を持って独立して回転し得るよう適切な隙間をもって組み付けられている。用紙押さえローラ７は金属もしくはプラスチックによって形成され、外周には回転軸方向へ平坦なローラ外周部７ａが形成されている。ローラ外周部７ａは僅かな間隙を持ってカッタ固定刃４に対向している。
【００２９】
このように用紙押さえローラ７のローラ外周部７ａが僅かな間隙を持ってカッタ固定刃４に対向していることにより、用紙押さえローラ７が用紙１９をカッタ固定刃４に対して押さえながらカッタ移動刃６とカッタ固定刃４とにより切断するので、用紙１９をしわにすることなく切断することができ、カッタ移動刃６の外周刃先部６ａはカッタ固定刃４の真直刃部４ａに圧接されるので用紙１９をきれいに切断することができる。
【００３０】
図６において、前述した図５における用紙押さえローラ７を用紙押さえローラ１０７に組み替えた第２実施例例について説明する。移動刃軸１１４には用紙押さえローラ１０７が、移動刃ホルダ１１５とは独立して回転し得るように回転自在にはめ合わされている。用紙押さえローラ１０７は金属もしくはプラスチックによって形成され、外周には回転軸方向へ円弧状のローラ外周部１０７ａが形成されている。ローラ外周部１０７ａは僅かな間隙を持ってカッタ固定刃１０４に対向している。
【００３１】
図７、図８および図９において、第１実施例における用紙切断装置１で用紙１９を切断する状態を説明する。図７に示すようにしてカッタ固定刃４に用紙１９を載置し、続いて、図示せぬ制御回路により図４に示すキャリア駆動モータ８を駆動するとキャリア送りベルト１２が回転して、図８に示すようにして移動刃キャリア５を矢印ａの方向に走行させる。移動刃キャリア５が矢印ａの方向に走行することにより、用紙押さえローラＡ７ａで用紙１９をカッタ固定刃４に対して押さえながら、図９に示すようにしてカッタ移動刃６はカッタ固定刃４と協働して用紙１９を剪断する。剪断された用紙右片１９ｂは、カッタ固定刃４に載置された状態であるが、用紙左辺１９ｃは、移動刃キャリア５によって下側に押し下げられる。用紙押さえローラＡ７ａの外周には回転軸方向へ平坦なローラ外周部Ａ７ｃが形成されているので用紙１９に極圧をかけることなく用紙１９をカッタ固定刃４に対して押さえることができる。
【００３２】
図１０において、前述した図６に示す第２実施例の用紙１１９を切断する状態について説明する。図９に示す第１実施例と同様にして用紙押さえローラ１０７で用紙１１９をカッタ固定刃１０４に対して押さえながら、カッタ移動刃１０６はカッタ固定刃１０４と協働して用紙１１９を剪断する。剪断された用紙右片１１９ｂは、カッタ固定刃１０４に載置された状態であるが、用紙左辺１１９ｃは、移動刃キャリア１０５によって下側に押し下げられる。用紙押さえローラ１０７の外周には回転軸方向へ円弧状のローラ外周部１０７ａが形成されているので用紙１１９がローラ外周部Ｂ７ｄに引っ掛かることがない。
【００３３】
図１１において、前述した図５における用紙押さえローラ７を用紙押さえローラ２０７に組み替えた第３実施例について説明する。移動刃軸２１４には用紙押さえローラ２０７が、移動刃ホルダ１１５とは独立して回転し得るように回転自在にはめ合わされている。用紙押さえローラ１０７の外周部にはゴムのような弾性部材によって形成され回転軸方向へ平坦な弾性部材２０７ｂが固着されている。弾性部材２０７ｂはその弾性力によって用紙２１９をカッタ固定刃２０４に軽く圧接するように設定されている。用紙押さえローラ２０７の外周には弾性部材２０７ｂが固着されているので用紙２１９がカッタ固定刃２０４に対して滑ることがないので、用紙２１９を正確にきれいに切断することができる。
【００３４】
図１２において、前述した図５における用紙押さえローラ７を用紙押さえローラ３０７ｂに組み替えた第４実施例について説明する。移動刃軸３１４には用紙押さえローラ３０７が、移動刃ホルダ３１５とは独立して回転し得るように回転自在にはめ合わされている。用紙押さえローラ３０７の外周部にはゴムのような弾性部材によって形成され回転軸方向へ円弧状の弾性部材３０７ｂが固着されている。用紙押さえローラ３０７の外周には弾性部材３０７ｂが固着されているので用紙３１９がカッタ固定刃３０４に対して滑ることがないので、用紙３１９を正確にきれいに切断することができる。また、弾性部材３０７ｂの外周は回転軸方向へ円弧状に形成されているので用紙３１９が弾性部材３０７ｂの外周に引っ掛かることがない。
【００３５】
図１３において、前述した図５における移動刃ホルダ１５を移動刃ホルダ４１５に組み替えると共に、移動刃ホルダ４１５と用紙押さえローラ４０７との間にスペーサ４１８を介在させた第５実施例について説明する。移動刃軸４１４には移動刃ホルダ４１５が回転自在にはめ合わされ、移動刃ホルダ４１５にはカッタ移動刃４０６が固着されている。移動刃ホルダ４１５は、カッタ移動刃４０６の外径よりも僅かに小さく形成された外径を有するホルダフランジ部４１５ａを有している。このホルダフランジ部４１５ａでカッタ移動刃４０６をバックアップすることにより、移動刃押圧部材４１７によってカッタ移動刃４０６の外周刃先部４０６ａがカッタ固定刃４０４の真直刃部４０４ａに押圧される際に、外周刃先部４０６ａが撓んで逃げないように補強している。また、ホルダフランジ部４１５ａの外周は、用紙４１９が浮き上がらないように抑えるという機能も有している。移動刃軸４１４には用紙押さえローラ４０７が、移動刃ホルダ４１５とは独立して回転し得るように回転自在にはめ合わされている。
【００３６】
そして、移動刃ホルダ４１５と用紙押さえローラ４０７との間には、テフロン（登録商標）あるいはデルリン等の摩擦係数が小さい材質で形成されたスペーサ４１８が組み込まれていると共に、前述した第１実施例と同様にして、用紙押さえローラ４０７の軸方向の長さと移動刃ホルダ４１５の軸方向の長さとスペーサ４１８の厚さとを加えた長さは、移動刃キャリア４０５の壁面の内側寸法より充分に短く設定しており、用紙押さえローラ４０７と移動刃ホルダ４１５の双方とも余裕を持って独立して回転し得るよう適切な隙間をもって組み付けられている。移動刃ホルダ４１５と用紙押さえローラ４０７との間に、テフロン（登録商標）あるいはデルリン等の摩擦係数が小さい材質で形成されたスペーサ４１８を組み込んだことにより、用紙押さえローラ４０７および移動刃ホルダ４１５は、第１実施例と比較して独立して回転することができる信頼性が高くなっている。
【００３７】
以上説明したように、用紙押さえローラは、カッタ移動刃を回転自在に支持している移動刃軸に、カッタ移動刃に対して独立に回転し得るように回転自在に取りつけられているので部品点数が少なく構造も簡単であり廉価に製作することができると共に、用紙をしわにすることなく正確にきれいに切断することができる。
【００３８】
【発明の効果】
本発明は、以上説明したように、部品点数が少なく構造も簡単であり、廉価に製作することができると共に、用紙押さえローラが用紙をカッタ固定刃に対して押さえた状態でカッタ移動刃がカッタ固定刃と協働して用紙を切断するので、カッタ移動刃が用紙を切断する際に、カッタ移動刃が用紙を押しのけてしわにしたり紙詰まりを起こすことがなく用紙を正確にきれいに切断することができる。
【図面の簡単な説明】
【図１】本発明に係る第１実施例の用紙切断装置を斜め上方から見た状態を示す斜視図である。
【図２】図１における矢視Ａの状態を示す正面図である。
【図３】図２における蓋体３を透視した状態を示す正面図である。
【図４】図３におけるＣ部を拡大して示す詳細図である。
【図５】図４におけるＤ−Ｄ線断面の状態を示す断面図である。
【図６】図５における第１実施例のローラ外周部７ａを有する用紙押さえローラ７ａをローラ外周部１０７を有する用紙押さえローラ１０７に組み替えた第２実施例を示す断面図である。
【図７】図４における用紙切断装置１に用紙１９を装着した状態を示す動作説明図である。
【図８】図７の状態から移動刃キャリア５が走行しながら用紙１９を切断する状態を示す動作説明図である。
【図９】図５における用紙切断装置１に用紙１９を装着した状態を示す断面図である。
【図１０】図６における用紙切断装置１０１に用紙１１９を装着した状態を示す断面図である。
【図１１】本発明に係る第３実施例を示し、第１実施例を示す図５における用紙押さえローラ７を、外周に弾性部材２０７ｂが固着された用紙押さえローラ２０７に組み替えた第３実施例を示す断面図である。
【図１２】図１１における弾性部材２０７ｂを有する用紙押さえローラ２０７を、弾性部材３０７ｂを有する用紙押さえローラ３０７ｂに組み替えた第４実施例を示す断面図である。
【図１３】図５における第１実施例の移動刃ホルダ１５をホルダフランジ部の外径が大きいに移動刃ホルダ４１５組み替えた第５実施例を示す断面図である。
【図１４】第１従来例における用紙切断装置における用紙切断装置に用紙を装着した状態を斜め上方から見た状態を示す斜視図である。
【図１５】第２従来例における用紙切断装置における用紙切断装置を示し、（Ａ）は上面図、（Ｂ）は正面図、（Ｃ）は左側面図である。
【符号の説明】
１  用紙切断装置
２  枠体
３  蓋体
４  カッタ固定刃
５  移動刃キャリア
５ａ  連結長孔部
６  カッタ移動刃
７  用紙押さえローラ
８  キャリア駆動モータ
８ａ  回転軸
９ａ  主傘歯車
９ｂ  従傘歯車
９ｃ  第１歯車
９ｄ  第２歯車
９ｅ  第３歯車
１０ａ  第１プーリ
１０ｂ  第２プーリ
１１  キャリア連結部材
１２  キャリア送りベルト
１３  ＨＰ検出手段
１４  移動刃軸
１５  移動刃ホルダ
１６  移動刃押さえブッシュ
１７  移動刃押圧部材
１８  スペーサ
１９  用紙
１９ａ  切断部
１９ｂ  用紙右片
１９ｃ  用紙左片
【図１】
0003844983.tif 000002
【図２】
0003844983.tif 000003
【図３】
0003844983.tif 000004
【図４】
0003844983.tif 000005
【図５】
0003844983.tif 000006
【図６】
0003844983.tif 000007
【図７】
0003844983.tif 000008
【図８】
0003844983.tif 000009
【図９】
0003844983.tif 000010
【図１０】
0003844983.tif 000011
【図１１】
0003844983.tif 000012
【図１２】
0003844983.tif 000013
【図１３】
0003844983.tif 000014
【図１４】
0003844983.tif 000015
【図１５】
0003844983.tif 000016